(57)【要約】【課題】載置読取及び搬送読取のいずれを行う場合であっても、原稿の読み取り開始まで要する時間を短縮可能にする。【解決手段】画像形成装置１は、副走査方向に往復移動可能に設けられ、原稿給送部によって搬送されて予め定められた読取位置を通過する原稿を読み取り、又は載置読取用プラテンガラス１６２に載置された原稿を移動しつつ読み取る原稿読取部５と、搬送読取及び載置読取の２種類の使用頻度を示す使用情報を記憶する使用情報記憶部１０２と、載置読取の使用頻度が搬送読取の使用頻度よりも高いと判断した場合、ホームポジションＨＰではなく、載置読取用待機位置である移動開始位置ＳＰに事前に移動させて待機させておく制御部１００とを備える。【選択図】図３
2018006930.tif 000002
【特許請求の範囲】
【請求項１】
原稿台と、
原稿を予め定められた読取位置に搬送する自動原稿送り装置と、
副走査方向に往復移動可能に設けられ、前記自動原稿送り装置によって搬送されて前記読取位置を通過する原稿を読み取り、又は前記原稿台上に載置された原稿に対して移動しつつ当該原稿を読み取る原稿読取部と、
前記原稿読取部の動作を制御し、前記自動原稿送り装置によって搬送されてくる原稿を読み取る搬送読取、又は前記原稿台上に載置された原稿を読み取る載置読取のいずれを行うかに応じて、前記搬送読取のための固定位置、又は前記載置読取のための移動開始位置に前記原稿読取部を移動させる制御部と、
前記搬送読取及び前記載置読取の２種類についての使用頻度を示すそれぞれの使用情報が前記制御部により記憶される使用情報記憶部と、を備え、
前記制御部は、前記固定位置に移動するための搬送読取用待機位置、及び前記移動開始位置に移動するための載置読取用待機位置のうち、前記使用情報記憶部に記憶されている前記それぞれの使用情報に応じて、前記２つの待機位置から前記原稿読取部を待機させておく位置を選択し、読み取りの種類が指定される指示の受付前の予め定められたタイミングで、前記選択した待機位置に前記原稿読取部を移動させる画像読取装置。
【請求項２】
前記制御部は、前記使用情報が、前記載置読取の方が前記搬送読取よりも高い使用頻度を示す場合には、前記載置読取用待機位置に前記原稿読取部を移動させ、前記使用情報が、前記搬送読取の方が前記載置読取よりも高い使用頻度を示す場合には、前記搬送読取用待機位置に前記原稿読取部を移動させる請求項１に記載の画像読取装置。
【請求項３】
本画像読取装置の使用者個人を特定する個人特定部を備えるとともに、
前記制御部は、使用者毎に前記それぞれの使用情報を前記使用情報記憶部に記憶させておき、
前記制御部は、前記個人特定部により特定された使用者の使用情報を前記使用情報記憶部から取得し、当該使用情報が示す使用頻度に基づいて、前記原稿読取部を待機させておく待機位置を選択する請求項１又は請求項２に記載の画像読取装置。
【請求項４】
前記制御部は、前記搬送読取の使用頻度と前記載置読取の使用頻度との差が予め定められた範囲内であると判断した場合、前記待機位置の選択を予め定められた条件に基づいて行う請求項１乃至請求項３のいずれかに記載の画像読取装置。
【請求項５】
請求項１乃至請求項４のいずれかに記載の画像読取装置と、
前記原稿読取部によって読み取られた原稿の画像を記録媒体に形成する画像形成部と、を備える画像形成装置。
【発明の詳細な説明】
【技術分野】
【０００１】
本発明は、画像読取装置及び画像形成装置に関し、特に、読取開始タイミングまでの待ち時間を短縮する技術に関する。
【背景技術】
【０００２】
複写機等に装備される画像読取装置においては、フラットベッドの原稿台に載置された原稿を、スキャナーを搭載した原稿読取部が当該原稿に対して移動しつつ読み取る載置読取と、自動原稿送り装置によって搬送されて所定の読取位置を通過する原稿を読み取る搬送読取とを行うものがある。そして、載置読取のための移動動作を終えた原稿読取部は、次の読み取りに備えてホームポジション（待機位置）に戻る（例えば、下記の特許文献１を参照）。
【先行技術文献】
【特許文献】
【０００３】
【特許文献１】特開２００６−０１０７１８号公報
【発明の概要】
【発明が解決しようとする課題】
【０００４】
しかしながら、従来は、上記載置読取及び搬送読取のいずれを行う場合であっても、キャリッジをホームポジションで待機させていると、上記載置読取及び搬送読取のいずれを行うかによって、どちらかの読取について、ホームポジションから読取開始位置までの移動距離が長くなり、原稿の読み取り開始までに時間がかかる場合があるという問題がある。
【０００５】
本発明は、上記の事情に鑑みなされたものであり、載置読取及び搬送読取のいずれを行う場合であっても、原稿の読み取り開始までに要する時間を短縮可能にすることを目的とする。
【課題を解決するための手段】
【０００６】
本発明の一局面に係る画像読取装置は、原稿台と、原稿を予め定められた読取位置に搬送する自動原稿送り装置と、副走査方向に往復移動可能に設けられ、前記自動原稿送り装置によって搬送されて前記読取位置を通過する原稿を読み取り、又は前記原稿台上に載置された原稿に対して移動しつつ当該原稿を読み取る原稿読取部と、前記原稿読取部の動作を制御し、前記自動原稿送り装置によって搬送されてくる原稿を読み取る搬送読取、又は前記原稿台上に載置された原稿を読み取る載置読取のいずれを行うかに応じて、前記搬送読取のための固定位置、又は前記載置読取のための移動開始位置に前記原稿読取部を移動させる制御部と、前記搬送読取及び前記載置読取の２種類についての使用頻度を示すそれぞれの使用情報が前記制御部により記憶される使用情報記憶部と、を備え、前記制御部は、前記固定位置に移動するための搬送読取用待機位置、及び前記移動開始位置に移動するための載置読取用待機位置のうち、前記使用情報記憶部に記憶されている前記それぞれの使用情報に応じて、前記２つの待機位置から前記原稿読取部を待機させておく位置を選択し、読み取りの種類が指定される指示の受付前の予め定められたタイミングで、前記選択した待機位置に前記原稿読取部を移動させるものである。
【０００７】
また、本発明の一局面に係る画像形成装置は、上記画像読取装置と、前記原稿読取部によって読み取られた原稿の画像を記録媒体に形成する画像形成部と、を備えるものである。
【発明の効果】
【０００８】
本発明によれば、載置読取及び搬送読取のうち、使用頻度の高い方の読み取りに適した待機位置に、キャリッジを移動開始位置に事前に移動させておくことが可能になるので、原稿の読み取り開始までにかかる時間を短縮し、利便性を向上させることが可能になる。
【図面の簡単な説明】
【０００９】
【図１】第１実施形態に係る画像形成装置の外観を示した斜視図である。
【図２】本発明の第１実施形態に係る画像形成装置の主要内部構成を概略的に示した機能ブロック図である。
【図３】原稿読取部の内部構成を模式的に示した透過平面図である。
【図４】使用情報記憶部のデータ構成の一例を示した図である。
【図５】画像形成装置の制御ユニットで行われる原稿読取部の移動動作制御を示すフローチャートである。
【図６Ａ】（Ａ）（Ｂ）は、原稿の読み取りを行う場合における原稿読取部５の移動順序を説明するための説明図である。
【図６Ｂ】（Ｃ）（Ｄ）は、原稿の読み取りを行う場合における原稿読取部５の移動順序を説明するための説明図である。
【図７】第２実施形態に係る画像形成装置の主要内部構成を概略的に示した機能ブロック図である。
【図８】使用情報記憶部のデータ構成の一例を示した図である。
【図９】第２実施形態に係る画像形成装置における制御ユニットの行う処理動作の一例を示したフローチャートである。
【発明を実施するための形態】
【００１０】
以下、本発明の一実施形態に係る画像読取装置及び画像形成装置について図面を参照して説明する。図１は、第１実施形態に係る画像形成装置の外観を示した斜視図である。図２は、本発明の第１実施形態に係る画像形成装置の主要内部構成を概略的に示した機能ブロック図である。図３は、原稿読取部の内部構成を模式的に示した透過平面図である。
【００１１】
画像形成装置１は、制御ユニット１０、原稿給送部６、原稿読取部５、画像形成部１２、画像メモリー３２、ＨＤＤ（Hard Disk Drive）９２、定着部１３、給紙部１４、原稿センサー１５、及び操作部４７を含んで構成されている。
【００１２】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１３】
画像形成装置１で原稿読取動作が行われる場合について説明する。原稿給送部６により搬送されて搬送読取用プラテンガラス１６１を通過する原稿、又は載置読取用プラテンガラス１６２に載置された原稿の画像を、当該原稿に対して移動しつつ読み取り、そして画像データを生成する。原稿読取部５により生成された画像データは、画像メモリー３２等に保存される。なお、原稿給送部６は、特許請求の範囲における自動原稿送り装置の一例であり、載置読取用プラテンガラス１６２は、特許請求の範囲における原稿台の一例である。
【００１４】
原稿読取部５は、光照射部を使って原稿を照射し、原稿によって反射された読取光をＣＣＤ（Charge Coupled Device）センサーで受光することによって、原稿から画像を読み取る。
【００１５】
原稿読取部５は、キャリッジ３４と、集光レンズ３６と、ＣＣＤセンサー３７と、キャリッジ検出部３８とを備えている。
【００１６】
白色基準板３３は、搬送読取用プラテンガラス１６１と載置読取用プラテンガラス１６２との間に主走査方向に沿って設けられた白色板である。白色基準板３３は、シェーディング補正に用いられるものであり、白色基準板３３から読み取られた画像データが白色基準データとして用いられる。
【００１７】
キャリッジ３４は、ＬＥＤ（Light Emitting Diode）などの光源（図示せず）と、原稿によって反射された読取光をＣＣＤセンサー３７に向けて反射する複数のミラー（図示せず）とを備えている。また、キャリッジ３４は、副走査方向に往復移動可能に設けられている。
【００１８】
キャリッジ３４には、主走査方向の一方（奥側）の端に遮光板３４ａが設けられている。遮光板３４ａは、キャリッジ検出部３８によってキャリッジ３４の位置を検出するために設けられたものである。
【００１９】
キャリッジ検出部３８は、例えば、ＰＩ（Photo Interrupter）センサーである。キャリッジ検出部３８には、主走査方向に対向するように発光部３８ａと受光部３８ｂとが設けられる。キャリッジ３４の遮光板３４ａは、発光部３８ａと受光部３８ｂとの間を、キャリッジ３４による移動に伴って通過する。
【００２０】
キャリッジ検出部３８は、キャリッジ３４の移動に伴って発光部３８ａと受光部３８ｂとの間を通過する遮光板３４ａを検出し、検出結果を示す信号を後述する制御部１００に出力する。例えば、キャリッジ検出部３８は、遮光板３４ａが発光部３８ａと受光部３８ｂとの間に位置している場合には、検出信号としてＯＮ状態の信号を出力し、一方、遮光板３４ａが発光部３８ａと受光部３８ｂとの間から外れている場合には、検出信号としてＯＦＦ信号を出力する。キャリッジ３４は、搬送読取又は載置読取に応じた読取位置に移動するが、以下では、搬送読取又は載置読取に応じたキャリッジ３４の移動を原稿読取部５の移動として説明する。
【００２１】
原稿読取部５の待機位置の一つであり、電源ＯＮの直後等に原稿読取部５を移動させておくホームポジションＨＰは、キャリッジ検出部３８による検出信号がＯＦＦ状態からＯＮ状態に切り替わった時点から、副走査方向における左方向（復動方向）に原稿読取部５が予め定められた距離を移動した位置に設定されている。
【００２２】
図３に示した固定位置ＦＰは、原稿給送部６によって搬送されて搬送読取用プラテンガラス１６１を通過する原稿を読み取るための流し読み位置（以下、読取位置）である。原稿読取部５は、搬送読取を行う場合には、読取ラインＲＬが固定位置ＦＰに位置するように移動する。つまり、原稿読取部５は、搬送読取用プラテンガラス１６１を通過する原稿を読み取る場合には、搬送読取用プラテンガラス１６１の下方を読取位置として、当該読取位置に固定され、この位置で原稿に向けて読取光を照射する。
【００２３】
読取開始位置ＲＰは、例えば、載置読取用プラテンガラス１６２の左端（載置される原稿の先端）である。移動開始位置ＳＰは、読取開始位置ＲＰから副走査方向における左方向に予め定められた距離離れた位置である。原稿読取部５は、載置読取用プラテンガラス１６２に載置された原稿を読み取る場合には、ホームポジションＨＰから移動開始位置ＳＰに一旦移動し、その後、読取開始位置ＲＰの方向に移動し、載置読取用プラテンガラス１６２の下方において副走査方向における図３で右方向（往動方向）に移動しつつ原稿に向けて読取光を照射する。
【００２４】
原稿読取部５が読取開始位置ＲＰに直接移動するのではなく、移動開始位置ＳＰに一旦移動するのは、読取開始位置ＲＰから安定して一定の走行速度（等速状態）で原稿を読み取るためである。つまり、読取開始位置ＲＰと移動開始位置ＳＰとの距離は、原稿読取部５が上記一定の走行速度に到るための加速に必要な距離である。
【００２５】
原稿から順次得られる読取光は、原稿読取部５の複数のミラーに反射され、集光レンズ３６に入射する。集光レンズ３６は、上記ミラーに反射された読取光を集光してＣＣＤセンサー３７の受光面に結像させる。ＣＣＤセンサー３７は、受光した読取光を電気信号に光電変換する。
【００２６】
原稿センサー１５は、原稿給送部６の原稿挿入口近くに設置され、原稿給送部６の原稿トレイにセットされている原稿の有無を検知する。
【００２７】
画像形成装置１で画像形成動作が行われる場合について説明する。原稿読取動作により生成された画像データや、ＨＤＤ９２に記憶されている画像データ、ネットワーク接続されたコンピューターから受信した画像データ等に基づいて、画像形成部１２が、給紙部１４から給紙される記録媒体としての記録紙にトナー像を形成する。
【００２８】
ＨＤＤ９２は、原稿読取部５によって読み取られた原稿画像等を記憶する大容量の記憶装置である。画像メモリー３２は、原稿読取部５による読み取りで得られた原稿の画像データを記憶したり、画像形成部１２のプリント対象となるデータを一時的に保存したりするための領域である。
【００２９】
定着部１３は、熱圧着によりトナー像を記録紙に定着させるものであり、定着処理が施された記録紙は排出トレイ１５１に排出されることになる。給紙部１４は、給紙カセットを備える。
【００３０】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、及びＡＳＩＣ等である。制御ユニット１０は、制御部１００と、操作受付部１０１と、使用情報記憶部１０２と、を備えている。
【００３１】
制御ユニット１０は、ＨＤＤ９２にインストールされている制御プログラムに従った上記プロセッサーによる動作により、制御部１００、操作受付部１０１、及び使用情報記憶部１０２として機能するものである。但し、当該各部は、制御ユニット１０による制御プログラムに従った動作によらず、それぞれハードウェア回路により構成することも可能である。以下、特に触れない限り、各実施形態について同様である。
【００３２】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、原稿センサー１５、及び操作部４７と接続され、これら各部の駆動制御を行う。
【００３３】
操作受付部１０１は、操作部４７から出力される検知信号に基づき、ユーザーにより入力された指示を受け付ける。操作受付部１０１は、当該受け付けた指示に対応する制御信号を制御部１００などに出力する。例えば、操作受付部１０１が、ユーザーから搬送読取による原稿の読み取り（コピーやスキャン）の指示を受け付けると、制御部１００は、原稿センサー１５が原稿を検知している場合、原稿給送部６によって搬送されて搬送読取用プラテンガラス１６１を通過する原稿の読み取りを上記読取位置で行う。例えば、操作受付部１０１が、ユーザーから載置読取による原稿の読み取りの指示を受け付けると、制御部１００は、原稿台１６２上の原稿を副操作方向に移動しながら読み取る。
【００３４】
使用情報記憶部１０２は、上記搬送読取及び上記載置読取の２種類についての使用頻度を示すそれぞれの使用情報を記憶する。制御部１００は、上記搬送読取及び上記載置読取の動作制御を行う度に、各読取についての動作回数を記録し、予め定められた一定期間内での動作回数を使用頻度として使用情報記憶部１０２に記憶させる。
【００３５】
図４は、使用情報記憶部１０２に記憶されるデータ構成の一例を示した図である。使用情報記憶部１０２には、予め定められた一定期間（例えば、読取動作実行時から過去1日）に行われた、搬送読取の使用回数Ｃａ及び載置読取の使用回数Ｃｂが記憶されている。
【００３６】
制御部１００は、制御部１００が原稿の読み取りを行うと、読み取りの種類に応じて、使用情報記憶部１０２を更新する。制御部１００は、搬送読取を行わせると、搬送読取に対応付けられた使用回数Ｃａをカウントアップする（原稿１枚ずつではなく、原稿給送部６へのセット１回に対して１カウントアップ。つまり、１つのジョブに基づく読取動作１回につき１カウントアップ）。また、制御部１００は、載置読取を行わせると、載置読取に対応付けられた使用回数Ｃｂをカウントアップする。使用情報記憶部１０２には、上記予め定められた一定期間におけるカウント値が残される。
【００３７】
次に、画像形成装置１の制御ユニット１０で行われる原稿読取部５の移動動作制御について説明する。図５は、画像形成装置１の制御ユニット１０で行われる原稿読取部５の移動動作制御を示すフローチャートである。なお、この移動動作制御は、制御部１００により、原稿読取の終了後に実行される。
【００３８】
制御部１００は、原稿の読み取りが完了すると、使用情報記憶部１０２に記憶されている使用情報に基づいて、載置読取の使用回数Ｃｂが搬送読取の使用回数Ｃａよりも多いか否かを判断する（Ｓ１）。
【００３９】
制御部１００は、載置読取の使用回数Ｃｂが搬送読取の使用回数Ｃａよりも多いと判断した場合（Ｓ１でＹＥＳ）、制御部１００は、原稿読取部５を、移動開始位置ＳＰに向けて移動を開始させる（Ｓ２）。制御部１００は、この移動中に、原稿読取部５に白色基準板３３を読み取らせ、白色基準データとなる画像データを取得する（Ｓ２）。その後、制御部１００は、原稿読取部５を、移動開始位置ＳＰまで移動した時点で停止させる（Ｓ３）。つまり、載置開始位置ＳＰが搬送読取用待機位置となる。
【００４０】
一方、制御部１００は、載置読取の使用回数Ｃｂが搬送読取の使用回数Ｃａ以下と判断した場合（Ｓ１でＮＯ）、原稿読取部５を、ホームポジションＨＰに移動させる（Ｓ４）。つまり、ホームポジションＨＰが移動読取用待機位置となる。
【００４１】
図６Ａ（Ａ）（Ｂ）及び図６Ｂ（Ｃ）（Ｄ）は、原稿の読み取りを行う場合における原稿読取部５の移動順序を説明するための説明図である。原稿読取部５が移動開始位置ＳＰで待機しているときに、操作受付部１０１に載置読取の指示が受け付けられたとき、図６Ａ（Ａ）に示すように、制御部１００は、載置読取の制御を実行し、原稿読取部５を移動開始位置ＳＰから読取開始位置ＲＰの方向に移動させる。一方、原稿読取部５が移動開始位置ＳＰで待機しているときに、操作受付部１０１に搬送読取の指示が受け付けられ、制御部１００が、搬送読取の制御を実行する場合は、図６Ａ（Ｂ）に示すように、制御部１００は原稿読取部５をホームポジションＨＰに一旦移動させた後で、固定位置ＦＰに移動させる。
【００４２】
また、原稿読取部５がホームポジションＨＰで待機しているときに、載置読取が行われる場合、図６Ｂ（Ｃ）に示すように、制御部１００は原稿読取部５を移動開始位置ＳＰに一旦移動させた後、読取開始位置ＲＰの方向に移動させる。一方、搬送読取が行われる場合、図６Ｂ（Ｄ）に示すように、制御部１００は原稿読取部５を固定位置ＦＰに移動させる。
【００４３】
上記第１実施形態によれば、原稿読取部５の待機位置にはホームポジションＨＰ以外にも移動開始位置ＳＰが設定され、例えば、載置読取が搬送読取よりも使用頻度が高い場合、上記のように、次の読取動作に備えて、操作者からの指示により次の読取動作を実行する前の予め定められたタイミング（直前に行われた原稿読取が完了した時点）で、移動開始位置ＳＰに原稿読取部５が移動して待機する。
【００４４】
これにより、次の原稿読取動作が載置読取となった場合には、原稿読取部５を移動開始位置ＳＰから移動開始させることができるので、図６Ａ（Ａ）に示したように、原稿読取部５が、原稿の読み取り開始である読取開始位置ＲＰに到達するまでに要する経路及び移動時間を短縮でき、原稿の読み取り開始まで要する時間を短縮できる。
【００４５】
なお、次の原稿読取動作が搬送読取となった場合には、図６Ａ（Ｂ）に示したように、原稿の読み取り開始までにかかる経路及び時間はかえって長くなってしまうが、原稿読取部５を待機させておく位置は、上記のように使用頻度の高い方の読取動作に適した待機位置が選択されるので、搬送読取が指示される確率は低い。
【００４６】
また、原稿読取部５が、ホームポジションＨＰで待機している場合に、次の原稿読取動作が搬送読取となった場合には、固定位置ＦＰへの原稿読取部５の移動をホームポジションＨＰから開始させることができるので、図６Ｂ（Ｄ）に示したように、原稿読取部５が、原稿の読み取り開始である読取開始位置ＲＰに到達するまでに要する経路及び時間を短縮でき、原稿の読み取り開始までに要する時間を短縮できる。
【００４７】
これにより、本実施形態によれば、次に行われる読取が載置読取又は搬送読取のいずれであっても、原稿の読み取り開始までに要する時間を短縮でき、ユーザーにとっての利便性を向上させることができる。
【００４８】
なお、次の原稿読取動作が載置読取となった場合には、図６Ｂ（Ｃ）に示したように、原稿読取部５は、ホームポジションＨＰから移動開始位置ＳＰまで一旦移動するため、原稿の読み取り開始までにかかる時間はかえって長くなってしまうが、原稿読取部５を待機させておく位置は、上記のように使用頻度の高い方の読取動作に適した待機位置が選択されるので、載置読取が指示される確率は低い。
【００４９】
次に、第２実施形態に係る画像形成装置について説明する。第２実施形態は、原稿読取部５の待機位置を上記２つのいずれにするかの選択を、ユーザー別に行う、更に、使用頻度及び時間要素の両方に基づいて行う点で、第１実施形態とは相違する。
【００５０】
図７は、第２実施形態に係る画像形成装置１の主要内部構成を概略的に示した機能ブロック図である。制御ユニット１０は、制御部１００と、操作受付部１０１と、使用情報記憶部１０２と、ログイン情報記憶部１０４と、ログイン処理部１０５と、を備えている。
【００５１】
制御ユニット１０は、ＨＤＤ９２にインストールされている制御プログラムに従った上記プロセッサーによる動作により、制御部１００と、操作受付部１０１と、使用情報記憶部１０２と、ログイン情報記憶部１０４と、ログイン処理部１０５として機能するものである。但し、当該各部は、制御ユニット１０による制御プログラムに従った動作によらず、それぞれハードウェア回路により構成することも可能である。以下、特に触れない限り、各実施形態について同様である。
【００５２】
図８は、使用情報記憶部１０２のデータ構成の一例を示した図であり、搬送読取の使用回数及び載置読取の使用回数がユーザー個人（識別コード）毎に、さらには使用時間帯に関連付けて記憶され、朝（６時〜１１時になるまで）、昼（１１時〜１７時になるまで）、夜（１７時〜２２時になるまで）、深夜（２２時〜６時になるまで）に関連付けて搬送読取の使用回数Ｃ１ａ，Ｃ２ａ，Ｃ３ａ，Ｃ４ａ、載置読取の使用回数Ｃ１ｂ，Ｃ２ｂ，Ｃ３ｂ，Ｃ４ｂが記憶されている。
【００５３】
制御部１００は、原稿の読み取りを行うと、ユーザー別に、読み取りの種類を、当該読取時の時間帯に関連付けて、使用情報記憶部１０２に記憶させる。例えば、(1)使用者が識別コード「０００１」のユーザーであり、８時に搬送読取が行われると、識別コード「０００１」に対応する、朝の時間帯（６時〜１１時になるまで）に関連付けられた搬送読取の使用回数Ｃ２ａをカウントアップし(2)使用者が識別コード「０００２」のユーザーであり、１４時に搬送読取が行われると、識別コード「０００２」に対応する、昼の時間帯（１１時〜１７時になるまで）に関連付けられた搬送読取の使用回数Ｃ２ａをカウントアップし、(3)使用者が識別コード「０００３」のユーザーで、２０時に載置読取が行われると、識別コード「０００３」に対応する、夜の時間帯（１７時〜２２時になるまで）に関連付けられた載置読取の使用回数Ｃ３ｂをカウントアップし、(3)使用者が識別コード「０００４」のユーザーで、２３時に載置読取が行われると、識別コード「０００４」に対応する、深夜の時間帯（２２時〜６時になるまで）に関連付けられた載置読取の使用回数Ｃ３ｂをカウントアップする。
【００５４】
ログイン情報記憶部１０４は、当該画像形成装置１にログインするために必要なユーザー固有の識別情報である識別コード及びパスワード等のログイン情報を記憶する。
【００５５】
ログイン処理部１０５は、操作部４７に対してユーザーにより入力された識別コードを操作受付部１０１が受け付けたときに、入力された識別コードが、ログイン情報記憶部１０４に記憶されているか否かを判断し、当該識別コードが記憶されていると判断したとき、画像形成装置１に対する当該識別コードが示すユーザーのログインを許可するとともに、当該ユーザーを、当該識別コードに対応付けられたユーザーとして特定する。なお、ログイン処理部１０５は、特許請求の範囲における個人特定部の一例である。
【００５６】
次に、画像形成装置１による原稿読取部５の移動動作制御について説明する。図９は、画像形成装置１による原稿読取部５の移動動作制御を示すフローチャートである。なお、この移動動作制御は、ログイン処理部１０５がログインを許可し、ユーザー個人を特定した後に行われる動作である。
【００５７】
制御部１００は、ログイン処理部１０５がログインを許可し、ユーザー個人を特定すると、現在時刻が朝、昼、夜、深夜のいずれの時間帯であるかを判断し（Ｓ１１）、例えば現在時刻が朝の時間帯であると判断した場合、使用情報記憶部１０２に記憶されている、ログイン処理部１０５が特定したユーザー個人の使用情報に基づいて、時間帯が「朝」の載置読取の使用回数Ｃ１ｂが搬送読取の使用回数Ｃ１ａに数値ｋ１（例えば、１．５）を乗算した値よりも大きいか否かを判断する（Ｓ１２）。数値ｋ１は１よりも大きい値である。
【００５８】
制御部１００は、載置読取の使用回数Ｃ１ｂが搬送読取の使用回数Ｃ１ａに数値ｋ１を乗算した値よりも大きいと判断した場合（Ｓ１２でＹＥＳ）、原稿読取部５を移動開始位置ＳＰに移動させつつ（Ｓ１３）、白色基準板３３から白色基準データとなる画像データを取得し（Ｓ１４）、その後、原稿読取部５を移動開始位置ＳＰで停止させる。つまり、移動開始位置ＳＰを待機位置とする。
【００５９】
一方、制御部１００は、載置読取の使用回数Ｃ１ｂが搬送読取の使用回数Ｃ１ａに数値ｋ１を乗算した値よりも大きくないと判断した場合（Ｓ１２でＮＯ）、搬送読取の使用回数Ｃ１ａが載置読取の使用回数Ｃ１ｂに数値ｋ１を乗算した値よりも大きいか否かを判断する（Ｓ１５）。
【００６０】
制御部１００は、搬送読取の使用回数Ｃ１ａが載置読取の使用回数Ｃ１ｂに数値ｋ１を乗算した値よりも大きいと判断した場合（Ｓ１５でＹＥＳ）、原稿読取部５を固定位置ＦＰに移動させつつ（Ｓ１６）、白色基準板３３から白色基準データとなる画像データを取得し（Ｓ１７）、固定位置ＦＰを待機位置として、原稿読取部５の移動を停止させる。
【００６１】
一方、制御部１００が、搬送読取の使用回数Ｃ１ａが載置読取の使用回数Ｃ１ｂに数値ｋ１を乗算した値よりも大きくないと判断した場合（Ｓ１５でＮＯ）、すなわち、搬送読取の使用回数Ｃ１ａと載置読取の使用回数Ｃ１ｂとの差が小さく、予め定められた範囲内である場合には、時間要素を排除するために、全ての時間帯の使用回数Ｃ１ａ，Ｃ２ａ，Ｃ３ａ，Ｃ４ａを加算して、搬送読取の使用回数Ｃａを算出するとともに、全ての時間帯の使用回数Ｃ１ｂ，Ｃ２ｂ，Ｃ３ｂ，Ｃ４ｂを加算して、載置読取の使用回数Ｃｂを算出する（Ｓ１８）。
【００６２】
続いて、制御部１００は、載置読取の使用回数Ｃｂが搬送読取の使用回数Ｃａよりも多いか否かを判断する（Ｓ１９）。
【００６３】
制御部１００は、載置読取の使用回数Ｃｂが搬送読取の使用回数Ｃａよりも多いと判断した場合（Ｓ１９でＹＥＳ）、原稿読取部５を移動開始位置ＳＰに移動させつつ（Ｓ１３）、白色基準板３３から白色基準データとなる画像データを取得し（Ｓ１４）、その後、原稿読取部５を移動開始位置ＳＰで停止させる。つまり、移動開始位置ＳＰを待機位置とする。
【００６４】
一方、制御部１００は、載置読取の使用回数Ｃｂが搬送読取の使用回数Ｃａよりも多くないと判断した場合（Ｓ１９でＮＯ）、原稿読取部５を固定位置ＦＰに移動させつつ（Ｓ１６）、白色基準板３３から白色基準データとなる画像データを取得し（Ｓ１７）、その後、原稿読取部５を固定位置ＦＰで停止させる。つまり、固定位置ＦＰを待機位置とする。
【００６５】
また、制御部１００が、現在時刻が昼、夜、深夜の時間帯であると判断した場合には、使用情報記憶部１０２に記憶されている、ログイン処理部１０５が特定したユーザー個人の使用情報に基づいて、時間帯が「昼」、「夜」、「深夜」のいずれかの載置読取の使用回数Ｃ１ｂ、搬送読取の使用回数Ｃ１ａ、及び数値ｋ１を用いて、現在時刻が朝の時間帯であると判断した場合と同様にＳ１２〜１９の処理を実行する。
【００６６】
当該第２実施形態によれば、ユーザー個人毎及び時間帯毎に、使用頻度の高い読取に応じた待機位置を選択できる。
【００６７】
また、使用時間帯の要素を考慮に入れた場合において、搬送読取の使用回数Ｃ１ａと載置読取の使用回数Ｃ１ｂとの差が小さく、大小の区別がつきにくい場合には、使用時間帯の要素を削除して、使用頻度を求めるために用いる使用情報の情報量を多くするので、ユーザーに対する更なる最適化を図ることができる。
【００６８】
なお、ここでは、図８に示したように、搬送読取の使用回数及び載置読取の使用回数が使用時間帯の要素に関連付けて記憶される場合について説明しているが、要素は２以上であっても良く、例えば、曜日などの要素をさらに追加するようにしても良い。
【００６９】
本発明は上記実施の形態の構成に限られず種々の変形が可能である。上記実施形態では、図１乃至図９を用いて上記実施形態により示した構成及び処理は、本発明の一実施形態に過ぎず、本発明を当該構成及び処理に限定する趣旨ではない。
【符号の説明】
【００７０】
１        画像形成装置
５        原稿読取部
６        原稿給送部
１２      画像形成部
３４      キャリッジ
１００    制御部
１０２    使用情報記憶部
１０４      ログイン情報記憶部
１０５    ログイン処理部
１６１    搬送読取用プラテンガラス
１６２    載置読取用プラテンガラス
【図１】
2018006930.tif 000003
【図２】
2018006930.tif 000004
【図３】
2018006930.tif 000005
【図４】
2018006930.tif 000006
【図５】
2018006930.tif 000007
【図６Ａ】
2018006930.tif 000008
【図６Ｂ】
2018006930.tif 000009
【図７】
2018006930.tif 000010
【図８】
2018006930.tif 000011
【図９】
2018006930.tif 000012